(57)【特許請求の範囲】
【請求項１】
対向した一対の絶縁基板と、該絶縁基板間の空間を仕切る隔壁とで複数の放電表示セルを構成し、該放電表示セル内に複数の電極群を設けると共に、放電ガスを気密封止し、前記電極間に電圧を選択的に印加してプラズマを発生させ、放電表示セル内壁に形成した蛍光体を発光させて発光素子とするプラズマ表示装置において、上記隔壁間に形成される放電表示セルの深さを変化させることにより、各々の放電表示セル空間の大きさを蛍光体の種類によって異ならせたことを特徴とするプラズマ表示装置。
【請求項２】
放電表示セルに備えた蛍光体の単独の輝度が高いほど、その放電表示セル空間が小さくなるように形成したことを特徴とする請求項１記載のプラズマ表示装置。
【請求項３】
隔壁のピッチ及び／又は幅を変化させることにより、各々の放電表示セル空間の大きさを異ならせたことを特徴とする請求項１記載のプラズマ表示装置。
【発明の詳細な説明】
【０００１】
【発明の属する技術分野】
本発明は、高輝度かつ安価な軽量薄型の大型画面用カラー画像表示装置等に用いられるプラズマ表示装置（プラズマディスプレイパネル：以下ＰＤＰと言う）に関するものである。
【０００２】
【従来の技術】
従来から画像表示装置としてはＣＲＴが多用されてきているが、該ＣＲＴには外形容積が大きく重量が大であること、高電圧が必要であること等の欠点があり、近年、マルチメディアの浸透に伴い、情報のインターフェースとして発光ダイオード（ＬＥＤ）や液晶表示素子（ＬＣＤ）、あるいはＰＤＰ等の平面画像表示装置が開発され、これらの利用範囲が拡大しつつある。
【０００３】
なかでもＰＤＰは、プラズマ発光を利用した大型画面で高画質、更に薄型軽量で設置場所を選ばない大型画面用カラー画像表示装置として将来性が注目されている。
【０００４】
このようなＰＤＰは、図４に示すように背面板１と正面板６を成す一対の平坦な絶縁基板と、その空間を仕切る隔壁２で囲まれた微小な放電表示セル５内にそれぞれ一対の放電電極７と、その底部に該放電電極７との間で放電によりプラズマを発生させ放電表示セル５の発光スイッチングを行うアドレス電極３を設け、前記空間に希ガス等の放電可能なガスを気密封入した構造を成しており、前記対向するアドレス電極３と放電電極７間に電圧を選択的に印加して放電によりプラズマを発生させ、該プラズマから放出される紫外光により放電表示セル５内壁に形成された蛍光体４を発光させて画像表示装置の発光素子として利用するものである。
【０００５】
カラーＰＤＰは、真空紫外線（ＶＵＶ）により励起される蛍光体４からのＲＧＢ発光を利用している。詳しく述べると、真空紫外線は、パネル内部に充填した希ガスをプラズマ放電により励起し、この励起された希ガスが基底状態となるために放出されるエネルギーが真空紫外線である。真空紫外線は蛍光体４を励起し、この励起状態から基底状態のエネルギー変化をＲＧＢ発光に使用している。
【０００６】
【発明が解決しようとする課題】
蛍光体は、同一の紫外線でエネルギーを供給されながら、そのエネルギーを異なる波長（ＲＧＢ）とする必要があり、パネルとした際には、赤（Ｒ）、緑（Ｇ）、青（Ｂ）の各波長での輝度に差が生じることとなる。
【０００７】
例えば、低輝度である青を基調とする海の映像と高輝度である緑を基調とする森林の映像とでは、階調表示に差を生じ、輝度の不足する海の映像では、表示階調が滑らかに変化しないため、画像がザラついた印象を与える。また、赤を基調とする人物の肌なども同様の理由から滑らかで自然な質感の表示が困難であった。
【０００８】
前記蛍光体の輝度の差は、パネルの画像表示において表示色が偏ってしまい、自然画表示が困難であるという課題があった。
【０００９】
【発明の目的】
本発明は前記課題を解決するためになされたもので、その目的は、ＰＤＰを構成するＲＧＢのそれぞれの放電表示セルにおいて、蛍光体の輝度が概略等しくなるように設定することで、自然なフルカラー表示を可能とするＰＤＰを提供することにある。
【００１０】
【課題を解決するための手段】
本発明者等は前記課題に鑑み鋭意検討した結果、ＰＤＰの放電表示セルにおいて、蛍光体各々の発光輝度の大小に応じて放電表示セル空間の大きさを異ならせることによって、各放電表示セルの輝度バラツキが低減されることを見いだした。
【００１１】
具体的には、ＲＧＢ（赤／緑／青）蛍光体発光のうち、最も輝度の低いＢ（青）  、中間の輝度を持つＲ（赤）、最も高い輝度を持つＧ（緑）、について、セル空間の大きさをＢは広く、Ｇは小さく、Ｒはその中間とし、変化させることによって、ＰＤＰの画像が黄色がかることを防止し、より自然なフルカラー発色が可能となる。
【００１２】
なお放電表示セル空間の大きさを変化させるには、隔壁のピッチ及び／又は幅を変化させることによって、表示セル幅を変化させたり、あるいは放電表示セルの深さを変化させる。
【００１３】
【作用】
本発明のＰＤＰによれば、ＲＧＢの各放電表示セルにおける輝度バラツキを低減し、パネルの表示品質を向上させることができる。発光輝度は概ね放電表示セルの開口寸法変化の３乗に比例し、放電表示セルの開口面積が１０％向上すると発光輝度は３０％程度向上し、放電表示セルの輝度向上につながる。
【００１４】
【発明の実施の形態】
以下、本発明のＰＤＰ用隔壁及びその製造方法について図面に基づき詳細に説明する。
【００１５】
図１及び図２は本発明のＰＤＰを説明するための断面図である。図１及び図２におけるＰＤＰは、対向した背面板１と正面板６との空間に平行に設けた隔壁２と、前記背面板１上に形成されたアドレス電極３と前記正面板６に形成された放電電極７と、蛍光体４を有する放電表示セル５とから成る。
【００１６】
本発明のＰＤＰにおいて、放電表示セル５の空間の大きさが、その蛍光体４の種類に応じて異なっていることを特徴としている。そして、この実施形態では、表示セル幅を変化させることによって、空間の大きさを異ならせている。
【００１７】
具体的には、中間の輝度を持つ赤（Ｒ）の蛍光体４を塗布する放電表示セル５の表示セル幅Ｄ１は中間の大きさとし、最も高い輝度を持つ緑（Ｇ）の表示セル幅Ｄ２は最も小さくし、最も低い輝度を持つ青（Ｂ）の表示セル幅Ｄ３は最も大きくしてある。そのため、各放電表示セル５における輝度のバラツキを小さくすることができる。
【００１８】
ここで、表示セル幅を異ならせるために、図１及び図２に示す２種類の方法がある。
【００１９】
一つの方法は、図１に示すように、放電表示セル５を形成する隔壁２の幅Ａ、Ｂ、Ｃを変化させ放電セル５のピッチＰ１、Ｐ２、Ｐ３を同一にすることによって、表示セル幅Ｄ１、Ｄ２、Ｄ３を変化させ、開口面積を変化させている。もう一つの方法は、図２に示すように、放電表示セル５を形成する隔壁２の幅Ａ、Ｂ、Ｃは同一とし、放電表示セル５のピッチＰ１、Ｐ２、Ｐ３を変化させる事により、表示セル幅Ｄ１、Ｄ２、Ｄ３を変化させ、開口面積を変化させている。
【００２０】
あるいは、隔壁２の幅とピッチを共に変化させることもできる。
【００２１】
このようにして、表示セル幅Ｄ１、Ｄ２、Ｄ３を変化させ、開口面積を変化させることにより、各放電表示セル５の蛍光体４の種類に応じて最適な開口面積となるようにすることができる。その結果、各放電表示セル５の輝度のバラツキを低減することができる。
【００２２】
ここで、隔壁２により仕切られた放電表示セル５の幅の大きさとしては、図３に示す均等割された表示セル幅Ｄに対して、−６０％〜６０％の範囲で調整することが好適である。これは、最も発光の弱い青（Ｂ）と、最も強い緑（Ｇ）を同等の輝度とするのに必要十分な表示セルの開口面積差がつけられるためである。
【００２３】
また、各放電表示セル５の輝度は、その表示セル幅の３乗に比例する。したがって、予め用いる蛍光体４のＲＧＢ各色の単独での輝度を求めておき、各単独の輝度と表示セル幅の３乗との積がほぼ同一となるように、表示セル幅を決定すれば良い。
【００２４】
次に、本発明の他の実施形態を説明する。
【００２５】
図３に示すように、各放電表示セル５の深さＨ１、Ｈ２、Ｈ３を異ならせることによって、表示セル空間の大きさを変化させている。この場合も、発光の弱い青（Ｂ）は放電表示セル５を深くし、発光の強い緑は放電表示セル５を浅くすれば良い。
【００２６】
なお、上記隔壁２の材質としては鉛ホウケイ酸ガラス等の低融点ガラスを用い、背面板１に関してはソーダライムガラスや各種セラミックス等を用いる。また、アドレス電極３としては、Ａｇを主成分とする導電性ペーストを用いて形成した。表示面側の絶縁基板である正面板６には酸化インジニウムや酸化スズ等を蒸着した放電電極７が形成されている。
【００２７】
次に、本発明のＰＤＰの製造方法を具体的に詳述する。
【００２８】
先ず、背面板１を成す絶縁基板上に成形バインダを有する隔壁成形用組成物を所定厚さに被着形成する。前記隔壁成形用組成物を被着形成する方法としては、予めその表面にアドレス電極３を形成した背面板１上に該アドレス電極３と直角方向に隔壁成形用組成物をロールコーター法やドクターブレード法、スクリーン印刷法、グラビア印刷法等で塗布することにより容易に形成することができ、特に量産性を考慮するとドクターブレード法が好適である。
【００２９】
次に、隔壁成形型を用いて前記背面板１上に被着形成した隔壁成形用組成物層を塑性変形させ、背面板１に密着した隔壁成形体を連続的に成形する。この時、所定のピッチ又は幅で隔壁２を成形できるように、予め隔壁成形型を作成しておけば、上述したような隔壁２を容易に形成できる。
【００３０】
尚、前記隔壁成形型は、金属製や樹脂製、ゴム製等のいずれでも良く、更に、金属製の母材に表面だけ樹脂製やゴム製の部材を用いた複合型の隔壁成形型を用いることも可能であり、その上、かかる隔壁成形型の表面には、離型性の向上あるいは耐摩耗性の向上等のために、表面処理等を施しても何等問題ない。
【００３１】
また、前記隔壁成形型の形状は、隔壁形状に対応する凹凸をその表面に形成してあれば平板状やロール状等の成形型を適宜使用することが可能であるが、とりわけ隔壁成形型の製造のし易さ、及び隔壁成形体の寸法精度及び量産性の点からは、隔壁成形用の溝をその表面に刻設したロール状成形型を回転させながら押し付けて隔壁成形用組成物を塑性変形させる成形型が最適である。
【００３２】
尚、隔壁２の成形に際しては、背面板の下に金属製や磁器製、樹脂製、ゴム製等、背面板の撓みを防止できる支持体を敷くと、成形体の寸法精度向上等の点でより効果的である。
【００３３】
また、本発明のＰＤＰにおいては、隔壁２の成形方法としては前記塑性変形法に限定するものではなく、サンドブラスト法等を適用することも可能である。
【００３４】
前記の塑性変形性を有する隔壁成形用組成物に好適な有機物としては、バインダーとして、例えば、アクリル系、ブチラール系等の熱可塑性バインダー或いは紫外線硬化性樹脂や光硬化性樹脂、熱硬化性樹脂等の反応硬化性樹脂を用いることができる。
【００３５】
また、本発明において、隔壁成形用組成物に各種の黒色に着色する金属酸化物を添加することで、高光反射隔壁にブラックマトリクスとしての機能を付与でき、パネルの高コントラスト化に寄与できることは当然である。
【００３６】
【実施例】
本発明のＰＤＰについて以下のようにして評価した。
【００３７】
（実施例１）
先ず、厚さ２ｍｍの３０インチサイズのソーダライムガラスから成る背面板１上に、厚膜印刷法によりＡｇを主成分とする電極ペーストを用いて幅９０μｍのアドレス電極３をストライプ状に３６０μｍピッチで全面に形成して焼き付け、アドレス電極３付き背面板１を作成した。このアドレス電極３間に位置合わせを行い、幅２５μｍ、高さ１５０μｍの隔壁２を型を用いた押圧成形手法で成形し、乾燥後焼成を行い隔壁構造を得た。この隔壁２間に赤色のみの蛍光体ペーストをスクリーン印刷の手法で全面に塗布し、焼成を行い蛍光体層４を形成した。その後、放電電極７を形成した正面板６と組み合わせ、希ガスを封入した。
【００３８】
上記操作を青色、緑色の蛍光体についても行い、赤単色／青単色／緑単色の３枚のパネルを準備した。
【００３９】
各色のパネルを同一条件で点灯して輝度を測定した結果、赤色が５５０ｃｄ／ｍ２  、緑色が１２００ｃｄ／ｍ２  、青色が２５０ｃｄ／ｍ２  、であった。
【００４０】
上記、単独での蛍光体の輝度を用いて、各単独の輝度と表示セル幅の３乗の積がほぼ一定となるよう、各蛍光体の放電表示セル５の表示セル幅をＤ１（赤）／Ｄ２（緑）／Ｄ３（青）＝２９０／２２５／３８０μｍと決定した。
【００４１】
但し、この表示セル幅は隔壁２の幅を含まず、放電表示セル５を形成する隔壁２頂端部の間隔である。
【００４２】
算出された表示セル幅を基に型を設計し、図１に示すＰＤＰを作製した。厚さ２ｍｍの３０インチサイズのソーダライムガラスから成る背面板１上に、厚膜印刷法によりＡｇを主成分とする電極ペーストを用いて幅９０μｍのアドレス電極３をストライプ状に３６０μｍピッチで全面に形成して焼き付け、アドレス電極３付き背面板１を作成した。この電極間に位置合わせを行い、図１に示すように幅の異なる隔壁２を形成し、各障子セル幅Ｄ１、Ｄ２、Ｄ３を上記の値となるようにした。
【００４３】
この時の隔壁２の幅は、赤と緑間の隔壁２の幅Ａは１０２．５μｍ、緑と青間の隔壁２幅Ｂは５７．５μｍ、青と赤間の隔壁２の幅Ｃは２５μｍとした。
【００４４】
この隔壁２間にＲＧＢ各色の蛍光体ペーストをスクリーン印刷の手法で塗布し、焼成を行い蛍光体４を形成した。放電電極７を形成した正面板６と組み合わせ、希ガスを封入した。
【００４５】
得られたＰＤＰは、全面発光の白色表示で、それまでの黄色がかる蛍光は見られなかった。また、蛍光体４間の輝度のバラツキが低減され、色純度の高い表示品質の高いフルカラーＰＤＰを得ることができた。
【００４６】
（実施例２）
実施例１と同様にして、単独での蛍光体の輝度の測定を行い、それを用いて各単独の輝度と表示セル幅の３乗の積がほぼ一定となるよう、各蛍光体の放電表示セルの幅をＤ１（赤）／Ｄ２（緑）／Ｄ３（青）＝３２５／２５０／４３０μｍと決定した。
【００４７】
算出されたセル幅を基に型を設計し、図２に示すＰＤＰを作製した。厚さ２ｍｍの３０インチサイズのソーダライムガラスから成る背面板上に、厚膜印刷法によりＡｇを主成分とする電極ペーストを用いて幅９０μｍのアドレス電極３をストライプ状に、かつ赤と緑間のピッチＰ１が３１５μｍ、緑と青間のピッチＰ２が３６５μｍ、緑と赤間のピッチＰ３が４００μｍとなるように、全面に形成して焼き付け、アドレス電極３付き背面板１を作成した。この電極３間に位置合わせを行い、図２に示す隔壁２を形成した。この時の隔壁２の幅Ａ，Ｂ，Ｃは全て２５μｍとした。
【００４８】
この隔壁２間にＲＧＢ各色の蛍光体ペーストをスクリーン印刷の手法で塗布し、焼成を行い蛍光体４を形成した。放電電極７を形成した正面板６と組み合わせ、希ガスを封入した。
【００４９】
得られたＰＤＰは、全面発光の白色表示で、それまでの黄色がかる蛍光は見られなかった。また、蛍光体層４間の輝度のバラツキが低減され、色純度の高い表示品質の高いフルカラーＰＤＰを得ることができた。
【００５０】
【発明の効果】
本発明のＰＤＰによれば、プラズマ表示装置における隔壁間に形成される放電表示セルの空間の大きさを、蛍光体の種類によって異ならせたことによって、蛍光体間の輝度バラツキを低減させることができ、色純度の高く、画像の表示品質の高いフルカラーの表示が行える。
【図面の簡単な説明】
【図１】本発明のプラズマ表示装置を示す要部断面図である。
【図２】本発明のプラズマ表示装置の他の実施形態を示す要部断面図である。
【図３】本発明のプラズマ表示装置の他の実施形態を示す要部断面図である。
【図４】従来のプラズマ表示装置を示す要部断面図である。
【符号の説明】
１：背面板
２：隔壁
３：アドレス電極
４：蛍光体
５：放電表示セル
６：正面板
７：放電電極
【図１】
0003554176.tif 000002
【図２】
0003554176.tif 000003
【図３】
0003554176.tif 000004
【図４】
0003554176.tif 000005